(57)【要約】【課題】複数の記録装置が接続されたテレビジョン受信装置にて、視聴者が記録する番組を選択すれば、接続された記録装置の中から予め定めた番組のジャンルに対応する記録装置を自動的に選定し、番組を記録できるテレビジョン受信装置を提供すること。【解決手段】記録装置選定テーブル作成部１６は、番組に関する任意のキーワードと複数の記録装置の中の特定の記録装置との対応関係を定めた記録装置選定テーブルを作成し、メモリ１５に記録する。記録装置選定制御部１７は、選択された番組に関するＥＰＧ情報から抽出した番組情報に含まれるキーワードと前期記録装置選定テーブル内の任意のキーワードとを照合することにより、任意のキーワードと対応する記録装置を選定し、選定した記録装置に番組を記録する処理を実行する。【選択図】図２
2008160243.tif 000002
【特許請求の範囲】
【請求項１】
デジタルＡＶ信号とＡＶ機器の制御信号とを伝送するシリアルバスによって複数の記録装置と接続されるテレビジョン受信装置であって、
番組に関する任意のキーワードと接続される前記複数の記録装置の中の特定の記録装置との対応関係を定めた記録装置選定テーブルを作成する記録装置選定テーブル作成部と、
選択された番組に関するＥＰＧ情報から抽出した番組情報に含まれるキーワードと前記記録装置選定テーブル内の任意のキーワードとを照合することにより、前記任意のキーワードと対応する記録装置を選定する記録装置選定制御部を有し、
前記記録装置選定制御部が選定した記録装置に前記選択された番組を記録可能とすることを特徴とするテレビジョン受信装置。
【請求項２】
前記記録装置選定テーブル作成部は、前記任意のキーワードに対応して第１候補の記録装置と次候補の記録装置とを記録装置選定テーブルに順次設定することを特徴とする請求項１に記載のテレビジョン受信装置。
【請求項３】
前記テレビジョン受信装置と接続された前記複数の記録装置の残存記録容量情報を管理する残存記録容量情報管理部を有し、
前記記録装置選定制御部は、前記第１候補の記録装置の残存記録容量が前記選択された番組の記録に必要な容量未満の場合は、前記次候補の記録装置に前記選択された番組を記録することを特徴とする請求項２に記載のテレビジョン受信装置。
【請求項４】
前記任意のキーワードは、複数のキーワードのアンド条件又はオア条件であることを特徴とする請求項１〜３のいずれか１に記載のテレビジョン受信装置。
【請求項５】
前記シリアルバスは、ＩＥＥＥ１３９４シリアルバスであることを特徴とする請求項１〜４のいずれか１に記載のテレビジョン受信装置。
【請求項６】
請求項１〜５のいずれか１に記載のテレビジョン受信装置を備えた記録装置。
【発明の詳細な説明】
【技術分野】
【０００１】
本発明は、電子番組表表示機能を備えたテレビジョン受信装置に関する。
【背景技術】
【０００２】
従来より、電子番組表（ＥＰＧ）を利用して録画又は録画予約を行う視聴者の利便性を向上させる技術が提案されている。その一例として、特許文献１に、視聴者が登録したキーワードと一致又は類似するキーワードを番組情報として含む番組を自動的に録画できる録画予約装置が開示されている。
【０００３】
また、録画番組の再生の利便性を向上する技術が提案されている。その一例として、特許文献２には、録画番組に含まれる所定のキーワードに対応するフレーム情報を録画番組と共に記録し、視聴者が前記所定のキーワードを選択すれば、該当する映像を即、再生できる番組録画システムが開示されている。
【特許文献１】特開平成１１−２３４６１２号公報
【特許文献２】特開２００２−１４２１９７号公報
【発明の開示】
【発明が解決しようとする課題】
【０００４】
しかし、特許文献１に開示された録画予約装置では、ジャンル毎に番組を録画する場合、視聴者自身が所定のジャンルに該当する記録媒体（ＶＴＲ）を録画予約装置にセットしなければならず、その作業は視聴者にとって非常に面倒であった。
【０００５】
また、特許文献２に開示された番組録画システムでは、記録装置に様々なジャンルの番組が記録されるため、ジャンル毎に番組を整理することができないという問題があった。
【０００６】
さらに、特許文献１、特許文献２の技術を利用しても、１つの記録装置（記録媒体）に番組を記録できない場合には、複数の記録装置にまたがって番組を記録（録画）しなければならず、記録した番組を管理、整理するのが困難であった。
【０００７】
本発明は、かかる実情に鑑みてなされたものであり、複数の記録装置が接続されたテレビジョン受信装置にて、視聴者が記録する番組を選択すれば、接続された記録装置の中から予め定めた番組のジャンルに対応する記録装置を自動的に選定し、番組を記録できるテレビジョン受信装置を提供することを目的とする。
【０００８】
また、記録先の記録装置の容量が不足する場合には、当該記録装置ではなく、十分な記録容量を有する他の記録装置に自動的に番組を記録することができるテレビジョン受信装置を提供することを目的とする。
【課題を解決するための手段】
【０００９】
第１の技術手段は、デジタルＡＶ信号とＡＶ機器の制御信号とを伝送するシリアルバスによって複数の記録装置と接続されるテレビジョン受信装置であって、番組に関する任意のキーワードと接続される前記複数の記録装置の中の特定の記録装置との対応関係を定めた記録装置選定テーブルを作成する記録装置選定テーブル作成部と、選択された番組に関するＥＰＧ情報から抽出した番組情報に含まれるキーワードと前記記録装置選定テーブル内の任意のキーワードとを照合することにより、前記任意のキーワードと対応する記録装置を選定する記録装置選定制御部を有し、前記記録装置選定制御部が選定した記録装置に前記選択された番組を記録可能とすることを特徴とするテレビジョン受信装置である。
【００１０】
第２の技術手段は、第１の技術手段において、前記記録装置選定テーブル作成部は、前記任意のキーワードに対応して第１候補の記録装置と次候補の記録装置とを記録装置選定テーブルに順次設定することを特徴とするテレビジョン受信装置である。
【００１１】
第３の技術手段は、第２の技術手段において、前記テレビジョン受信装置と接続された前記複数の記録装置の残存記録容量情報を管理する残存記録容量情報管理部を有し、前記記録装置選定制御部は、前記第１候補の記録装置の残存記録容量が前記選択された番組の記録に必要な容量未満の場合は、前記次候補の記録装置に前記選択された番組を記録することを特徴とするテレビジョン受信装置である。
【００１２】
第４の技術手段は、第１〜第３のいずれか１の技術手段において、前記任意のキーワードは、複数のキーワードのアンド条件又はオア条件であることを特徴とするテレビジョン受信装置である。
【００１３】
第５の技術手段は、第１〜第４のいずれか１の技術手段において、前記シリアルバスは、ＩＥＥＥ１３９４シリアルバスであることを特徴とするテレビジョン受信装置である。
【００１４】
第６の技術手段は、第１〜第５のいずれか１の技術手段におけるテレビジョン受信装置を備えた記録装置である。
【発明の効果】
【００１５】
本発明により、視聴者は、事前にキーワードと記録装置の対応を登録すれば、記録する番組を選択するだけで、登録したキーワードに対応づけられた記録装置に自動的に振り分けて番組を記録できるので、録画操作の都度、視聴者が記録先の記録装置を選定する必要がなくなり、視聴者の利便性が向上する。
【００１６】
また、キーワードによって任意に設定したジャンル毎に番組を各記録装置に記録できるので、視聴者の好みに応じた区分に分けて記録した番組を容易に管理することができる。
また、記録先の記録装置の記録容量が不足する場合には、他の記録装置に記録することができるので、記録した番組の整理が容易になる。
【発明を実施するための最良の形態】
【００１７】
図１は、本発明に係わるテレビジョン受信装置を用いたシステム構成図である。
１は本発明に係わるテレビジョン受信装置である。２はテレビジョン受信装置１が受信したテレビ番組を表示する表示装置である。３はテレビジョン受信装置１を操作するリモコンである。４ａ〜４ｈはテレビジョン受信装置１にて受信したテレビ番組を記録するための記録装置（ＡＶ機器）であり、例えば、ＩＥＥＥ１３９４シリアルバス（ＩＥＥＥ１３９４プロトコル）にてテレビジョン受信装置１と接続している。
【００１８】
このように、テレビジョン受信装置１を中心にして（コントロールセンターとして）、記録装置４ａ〜４ｈがＩＥＥＥ１３９４シリアルバスによりネットワーク接続（デイジーチェーン接続）されているので、テレビジョン受信装置１と記録装置４ａ〜４ｈは、デジタルビデオ信号及びデジタルオーディオ信号（デジタルＡＶ信号）等のデータのアイソクロナス（Ｉｓｏｃｈｒｏｎｏｕｓ）通信と、各種制御信号（ＡＶＣコマンド等のＡＶ機器の制御信号）等のアシンクロナス（Ａｓｙｎｃｈｒｏｎｏｕｓ）通信を行うことができる。なお、アイソクロナス通信は、同期通信であり、相手を特定しないブロードキャスト通信である。一方、アシンクロナス通信は、非同期通信であり、原則として相手を特定して行う通信である。
【００１９】
そのため、コントロールセンターとして機能するテレビジョン受信装置１は、各種制御信号（制御コマンド）を発行することにより、テレビジョン受信装置１に接続された記録装置４ａ〜４ｈを制御することが可能になり、特定の記録装置にデータ（デジタルＡＶ信号）を送出し、特定の記録装置に該データを記録させることができる。
【００２０】
なお、ＩＥＥＥ１３９４についての詳細は“ＩＥＥＥ  Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ”  ＩＥＥＥ，  Ｉｎｃ．，  ９６．８に開示されている。
【００２１】
なお、本実施例では、テレビジョン受信装置１と記録装置４ａ〜４ｈがＩＥＥＥ１３９４シリアルバスによりネットワーク接続されている場合を例示して説明するが、他の接続プロトコル（例えばＴＣＰ／ＩＰ）により接続されていてもよい。さらに、接続される記録装置の数は８台（記録装置４ａ〜４ｈ）に限定されず、各種プロトコルの許容範囲内の記録装置を接続できる。
【００２２】
図２は、本発明に係わるテレビジョン受信装置を説明するためのブロック図である。なお、本実施例では、テレビジョン受信装置としてデジタル放送用テレビジョン受信装置を例示して説明しているが、本発明をアナログ放送用テレビジョン装置にも適用できる。
【００２３】
本発明では、番組に関するキーワード及び該番組に関するＥＰＧ情報に基づいて、テレビジョン受信装置に接続された複数の記録装置の中から番組を記録する記録装置を自動的に選定し、選定した記録装置に番組を記録している。
【００２４】
１は本発明が適用されるデジタル放送用のテレビジョン受信装置である。
１１は図示しないアンテナを用いて受信したデジタル放送信号の復調等を行うチューナ／復調部である。
１２はチューナ／復調部１１にて復調したテレビジョン放送信号を音声信号，映像信号，データ放送信号，ＥＰＧデータ信号に分離するトランスポートデコーダである。分離した音声信号，映像信号を記録装置４ａ〜４ｈに記録する場合には、トランスポートデコーダ１２は、分離した音声信号，映像信号に各種処理を施し、後述する記録装置接続部１８に出力する。なお、分離したＥＰＧデータ信号はメモリ１５に記録される。
１３はトランスポートデコーダ１２で分離した音声信号，映像信号をデコードするＡＶデコーダである。
１４はＡＶデコーダ１３でデコードした音声信号，映像信号をＤ／Ａ変換して表示装置２に出力するエンコーダである。
なお、チューナ／復調部１１，トランスポートデコーダ１２，ＡＶデコーダ１３，エンコーダ１４によりデジタルテレビジョンの受信部を構成している。
【００２５】
１５はトランスポートデコーダ１２で分離したＥＰＧデータ信号や各種制御情報等を記録するためのメモリである。
【００２６】
１６は記録装置選定テーブル作成部で、番組に関する任意のキーワードと複数の記録装置の中の特定の記録装置との対応関係を定めた記録装置選定テーブルを作成し、作成した記録装置選定テーブルをメモリ１５に記録する。
【００２７】
ここで、記録装置選定テーブルについて説明する。
図３は、記録装置選定テーブル１００の一例である。
１０１のキーワード欄で、記録する番組を好みの種別（ジャンル）に分けて記録装置に振り分けて記録するための種別（ジャンル）をキーワードで指定するものである。
【００２８】
１０２は記録先の記録装置欄で、この欄に番組の記録先の記録装置が第１候補の記録装置欄１０２ａ、第２候補の記録装置欄１０２ｂと順次設定されている。
【００２９】
例えば、録画する番組の番組情報に“政治”，“日本経済”，“為替”等のキーワードが含まれているようなニュースを録画（記録）する場合には、第１候補の記録装置として記録装置４ａが定められ、第２候補の記録装置として記録装置４ｇが定められている。
また、録画する番組の番組情報に“野球”，“タイガース”等のキーワードが含まれているような野球中継番組を録画する場合には、第１候補の記録装置として記録装置４ｂが定められ、第２候補の記録装置として記録装置４ｄが定められている。
【００３０】
なお、前述した候補の数は、２つに限定されるわけではなく、３つ以上の候補であってもよい。
そして、任意のキーワードは、複数のキーワードのアンド条件（全てのキーワードを全て含む条件（図中“＊”：アンド（論理積）））又は複数のキーワードのオア条件（複数のキーワードの内１つを含めばよい条件（図中“，”：オア（論理和）））を指定できる。
【００３１】
さらに、視聴者は、記録装置選定テーブル１００を自由に編集することができるので、記録装置と録画番組種別（ジャンル）の対応は、視聴者の好みに応じて任意に定めることができる。
【００３２】
図４は、視聴者が記録装置選定テーブル１００を編集するときに表示装置２の表示画面２ａに表示される編集画面の一例である。
視聴者は、表示画面２ａに表示される編集画面１１０を利用してキーワード欄１１１，記録先の記録装置欄１１２（第１候補の記録装置欄１１２ａ，第２候補の記録装置欄１１２ｂ）の各設定情報を、画面上に表示されるガイダンス１１３に従い、リモコン３の操作ボタンを用いて自由に編集することができる。
【００３３】
ここで、図２の説明に戻る。
１７は選択された番組に関するＥＰＧ情報から抽出した番組情報に含まれるキーワードと記録装置選定テーブル１００内の任意のキーワードとを照合することにより、任意のキーワードと対応する記録装置を選定し、選定した記録装置に番組を記録する処理を実行する記録装置選定制御部である。なお、処理の詳細については後述する。
１７ａは記録装置４ａ〜４ｈの残存記録容量情報（各記録装置の記録可能容量）を管理する残存記録容量情報管理部である。
残存記録容量情報管理部１７ａは、ＡＶＣコマンド（Ａｕｄｉｏ／Ｖｉｓｕａｌ  Ｃｏｍｐａｔｉｂｉｌｉｔｙ  Ｃｏｍｍａｎｄ）を記録装置４ａ〜４ｈに発行して、記録装置４ａ〜４ｈの残存記録容量情報を取得し、図５に示す残存記録容量情報管理テーブルを作成し、残存記録容量情報を管理する。なお、残存記録容量情報管理テーブルはメモリ１５に記録される。
【００３４】
図５は、残存記録容量情報管理テーブル１２０の一例である。
図に例示したように、記録装置の名称欄１２１に対応して、記録装置の残存記録容量欄１２２が定められている。例えば、名称ＡＡＡで指定される記録装置４ａの残存記録容量は、３０Ｇバイトである。
なお、記録装置４ａ〜４ｈの残存記録容量情報を取得するタイミング（残存記録容量情報管理テーブル１２０を更新するタイミング）は、番組を記録する直前であってもよいし、定期的（例えば、１時間毎）であってもよい。
【００３５】
ここで、図２の説明に戻る。
１８はテレビジョン受信装置１と記録装置４ａ〜４ｈとを接続するための記録装置接続部である。なお、本実施例では、テレビジョン受信装置１と記録装置４ａ〜４ｈとがＩＥＥＥ１３９４シリアルバスにて接続するため、記録装置接続部１８は、ＩＥＥＥ１３９４インタフェースとして機能する。
【００３６】
１９はリモコン３からの発光信号を受光するためのリモコン受光部である。
２０は上述した各機能ブロックを制御するための制御部２０である。
【００３７】
次に、番組の記録先の記録装置を選定し、選定した記録装置に番組を記録する処理についてフロー図を用いて説明する。
図６は、番組の記録先の記録装置を選定し、選定した記録装置に番組を記録する処理を説明するためのフロー図である。
視聴者は、図７に例示したＥＰＧ１３０を利用して録画する番組を選択する（ステップＳ１）。ここでは、視聴者は、録画する番組として１ｃｈの１９時〜２１時に放送される野球中継番組１３１を選択している。
【００３８】
録画開始時刻から所定時間前（例えば、１０分前）になると、残存記録容量情報管理部１７ａは、テレビジョン受信装置１に接続された記録装置４ａ〜４ｈにＡＶＣコマンドを発行し、各記録装置の残存記録容量を取得し、残存記録容量情報管理テーブル１２０を更新する（ステップＳ２）。
【００３９】
同時に、記録装置選定制御部１７は、選択された番組（図７の野球中継番組１３１）に関するＥＰＧ情報（メモリ１５に記録）から抽出した番組情報（ＥＩＴ）に含まれるキーワードを取得する（ステップＳ３）。
なお、ＥＩＴは、イベント(番組を表すことが多い)情報を記述したテーブルで、番組ごとに、開始時刻、番組時間、番組名、出演者、番組のジャンル等の情報がこのテーブルに記述されている。
【００４０】
記録装置選定制御部１７は、取得した番組情報のキーワードに一致する、記録装置選定テーブル１００のキーワード欄１０１（図３参照）に定められたキーワードを検索する（ステップＳ４）。
例えば、番組情報のキーワードとして“野球”，“タイガース”，“スポーツ”，“大リーグ”等を取得した場合には、番組情報のキーワードの“野球”，“タイガース”と同一のキーワード欄１０１に定められた“野球”＊“タイガース”が検索される。
【００４１】
検索できた場合には（ステップＳ５：ＹＥＳ）、ステップＳ６の処理を実行する。
【００４２】
前述したように、“野球”，“タイガース”，“スポーツ”が検索された場合、“野球”＊“タイガース”に対応する記録装置４ｂ、さらに、“スポーツ”に対応する記録装置４ｄの双方が第１候補の記録装置に該当するが、このような場合、第１候補の記録装置として、記録装置４ｂが優先するように設定しておく。
【００４３】
なお、ニュース番組を記録する場合において、ニュース番組の番組情報のキーワードとして“報道”，“政治”，“日本経済”，“為替”等を取得すると、番組情報のキーワードの“政治”と同一のキーワード欄１０１（図３参照）に定められた“政治”が検索される。そして、“政治”が検索された結果、“政治”に対応する記録装置４ａが第１候補の記録装置として選定される。
【００４４】
検索できない場合には（ステップＳ５：ＮＯ）、ステップＳ１１の処理を実行する。
【００４５】
ステップＳ６で、記録装置選定制御部１７は、検索したキーワードに対応している第１候補の記録装置（前述の例では、記録装置４ｂ）がテレビジョン受信装置１に接続され、かつ、該記録装置の残存記録容量が番組の記録に必要な容量以上か否かを残存記録容量情報管理テーブル１２０を参照して判定する（ステップＳ６）。なお、記録装置が接続されているか否かはＡＶＣコマンドを発行することにより検知することができる。
【００４６】
例えば、番組の記録に必要な容量が４Ｇの場合には、第１候補の記録装置４ｂの残存記録容量は５Ｇ（残存記録容量情報管理テーブル１２０の残存記録容量１２２参照）であるため、記録装置４ｂの残存記録容量が番組の記録に必要な容量以上と判定される。
【００４７】
第１候補の記録装置（前述の例では、記録装置４ｂ）がテレビジョン受信装置１に接続され、かつ、該記録装置の残存記録容量が番組の記録に必要な容量以上と判定された場合（ステップＳ６：ＹＥＳ）、記録装置選定制御部１７は、第１候補の記録装置を選定し（ステップＳ７）、選定した記録装置に番組を記録する（ステップＳ８）。
【００４８】
第１候補の記録装置がテレビジョン受信装置１に接続されていない、又、接続されていたとしても該記録装置の残存記録容量が番組の記録に必要な容量未満と判定された場合（ステップＳ６：ＮＯ）、記録装置選定制御部１７は、第２候補の記録装置がテレビジョン受信装置１に接続され、かつ、該記録装置の残存記録容量が番組の記録に必要な容量以上か否かを残存記録容量情報管理テーブル１２０を参照して判定する（ステップＳ９）。
例えば、番組の記録に必要な容量が６Ｇの場合には、第１候補の記録装置４ｂの残存記録容量は５Ｇ（残存記録容量情報管理テーブル１２０の残存記録容量１２２参照）であるため、記録装置４ｂの残存記録容量が番組の記録に必要な容量未満と判定される。
【００４９】
第２候補の記録装置（前述の例では、記録装置４ｄ）がテレビジョン受信装置１に接続され、かつ、該記録装置の残存記録容量が番組の記録に必要な容量以上と判定された場合（ステップＳ９：ＹＥＳ）、記録装置選定制御部１７は、第２候補の記録装置を選定し（ステップＳ１０）、選定した記録装置に番組を記録する（ステップＳ８）。
【００５０】
第２候補の記録装置がテレビジョン受信装置１に接続されていない、又、接続されていたとしても該記録装置の残存記録容量が番組の記録に必要な容量未満と判定された場合（ステップＳ９：ＮＯ）、記録装置選定制御部１７は、他の記録装置（例えば、記録装置４ｇ）を選定し（ステップＳ１１）、選定した記録装置に番組を記録する（ステップＳ８）。
【００５１】
このように、テレビジョン受信装置に接続された複数の記録装置から、任意に選定した好みのジャンルの番組を記録する一つの記録装置を自動的に選定し、選定した記録装置に番組を振り分けて記録することができるので、視聴者の利便性が向上する。
また、好みのジャンルを様々なキーワードによって指定することができるので、番組を視聴者の嗜好に適合した記録装置に振り分けて記録することができる。
【００５２】
なお、視聴者は、テレビジョン受信装置１に接続されている記録装置４ａ〜４ｈに関する情報を閲覧することができる。
【００５３】
図８は、表示装置２の表示画面２ａに表示されるテレビジョン装置１に接続されている記録装置に関する情報の一覧表である。
視聴者は、この一覧表を参照することにより、記録装置の接続状況に関する情報、接続されている記録装置に関する情報を閲覧することができる。
図８から明らかなように、接続されている記録装置に関する情報一覧表１４０には、記録装置の接続状態を示す接続の有無欄１４１（接続）、接続されている記録装置の名称欄１４２、この記録装置のメーカ名欄１４３（ＳＨＡＲＰ）、記録装置の記録媒体の種類欄１４４（ＨＤＤ，ＤＶＤ）、残存記録容量欄１４５が定められている。
【００５４】
また、視聴者は、図９に示した録画番組一覧表によりテレビジョン受信装置１に接続されている記録装置に記録済みの録画番組の情報を閲覧することができる。
【００５５】
図９は、録画番組一覧表１５０の一例を示した図である。
図９から明らかなように、録画番組一覧表１５０には、記録装置に記録されている録画番組の番組名欄１５１、該番組のチャンネル番号欄１５２、該番組の記録先の記録装置の名称欄１５３が定められ、視聴者は、この一覧表を参照することにより、記録装置に記録されている録画番組の情報を閲覧することができる。
【００５６】
なお、以上説明したテレビジョン受信装置１をＨＤＤレコーダ等の記録装置と一体に搭載してもよい。
【図面の簡単な説明】
【００５７】
【図１】本発明に係わるテレビジョン受信装置のシステム構成図である。
【図２】本発明に係わるテレビジョン受信装置を説明するためのブロック図である。
【図３】記録装置選定テーブルの一例である。
【図４】編集画面の一例である。
【図５】残存記録容量情報管理テーブルの一例である。
【図６】番組の記録先の記録装置を選定し、選定した記録装置に番組を記録する処理を説明するためのフロー図である。
【図７】ＥＰＧの一例である。
【図８】記録装置に関する情報の一覧表である。
【図９】録画番組一覧表の一例を示した図である。
【符号の説明】
【００５８】
１…テレビジョン受信装置、２…表示装置、２ａ…表示画面、３…リモコン、４ａ〜４ｈ…記録装置、１１…チューナ／復調部、１２…トランスポートデコーダ、１３…Ａ／Ｖデコーダ、１４…エンコーダ、１５…メモリ、１６…記録装置選定テーブル作成部、１７…記録装置選定制御部、１７ａ…残存記録容量情報管理部、１８…記録装置接続部、２０…制御部、１００…記録装置対応テーブル、１１０…編集画面、１２０…残存記録容量情報管理テーブル、１３０…ＥＰＧ、１４０…接続されている記録装置に関する情報一覧表、１５０…録画番組一覧表。
【図１】
2008160243.tif 000003
【図２】
2008160243.tif 000004
【図３】
2008160243.tif 000005
【図４】
2008160243.tif 000006
【図５】
2008160243.tif 000007
【図６】
2008160243.tif 000008
【図７】
2008160243.tif 000009
【図８】
2008160243.tif 000010
【図９】
2008160243.tif 000011